(57)【要約】【課題】本発明の目的は、素材の保存したい部分のみをクリップ情報と共にアーカイブすることである。【解決手段】本発明のアーカイブシステムは、コンテンツサーバとアーカイブ装置と転送制御装置とカット編集装置を有するアーカイブシステムであって、カット編集装置は素材の保存したい部分のみをクリップするためのクリップ情報を生成し、アーカイブ装置はクリップ情報に基づいてコンテンツサーバから出力される素材データと前記クリップ情報と共に記憶することを特徴とする。【選択図】  図１
2016213738.tif 000002
【特許請求の範囲】
【請求項１】
コンテンツサーバとアーカイブ装置と転送制御装置とカット編集装置を有するアーカイブシステムにおいて、
前記カット編集装置は、素材の保存したい部分のみをクリップするためのクリップ情報を生成し、
前記アーカイブ装置は、前記クリップ情報に基づいて前記コンテンツサーバから出力される素材データと前記クリップ情報と共に記憶することを特徴とするアーカイブシステム。
【請求項２】
請求項１に記載のアーカイブシステムにおいて、
前記アーカイブ装置は、前記クリップ情報と前記素材から一本化データを生成することを特徴とするアーカイブシステム。
【請求項３】
請求項１に記載のアーカイブシステムにおいて、
さらに媒体記憶装置を有し、
前記アーカイブ装置は、前記クリップ情報と前記素材からステカット付クリップデータを前記媒体記憶装置に記憶させることを特徴とするアーカイブシステム。
【発明の詳細な説明】
【技術分野】
【０００１】
本発明は、アーカイブシステムに関するものである。
【背景技術】
【０００２】
従来、スポーツ素材など長編素材をライブ収録し送出、アーカイブするシステムおいて、ライブ収録素材等は、部分的に送出される。ライブ収録素材等をアーカイブする場合は、収録素材をそのまま収録すると不要な映像が多く含まれているため、アーカイブ／リトリーブ処理時間を多く費やすほか、アーカイブ保存用メディアの容量が大となる。
【０００３】
先行技術文献として、例えば、特許文献１では、複数の素材を所定の記憶媒体に保存しておき、要求に応じて特定の素材を選択的に取り出すビデオサーバシステムであって、撮影によって得られた原素材としての映像信号を一時的に記憶するためのディスクアレイ（ＲＡＩＤ）６と、記憶された原素材を適宜選択してプレビュー編集されたカットを、タイムラインとは無関係に順に並べて表示部に表示する技術が開示されている。
【０００４】
他の先行技術文献として、例えば、特許文献２では、ビデオ信号を編集する編集装置において、オリジナルタイムコードが電子透かし情報として所定フレーム毎に重畳化されたビデオ信号が入力され、入力されたビデオ信号から電子透かし情報を復号してオリジナルタイムコードを所定フレーム毎に取り出す重畳化復号手段と、外部に存在する外部編集手段にてオリジナルタイムコードに基づきビデオ信号が編集された編集結果が編集結果を示すデータとして供給され、オリジナルタイムコードに基づき、編集結果を示すデータに従ってビデオ信号の編集を行う技術が開示されている。
【先行技術文献】
【特許文献】
【０００５】
【特許文献１】特開平１１−２８４９５７号公報
【特許文献２】特開２００２−７７８０７号公報
【発明の概要】
【発明が解決しようとする課題】
【０００６】
本発明の目的は、素材の保存したい部分のみをクリップ情報と共にアーカイブすることである。
【課題を解決するための手段】
【０００７】
本発明のアーカイブシステムは、コンテンツサーバとアーカイブ装置と転送制御装置とカット編集装置を有するアーカイブシステムであって、カット編集装置は素材の保存したい部分のみをクリップするためのクリップ情報を生成し、アーカイブ装置はクリップ情報に基づいてコンテンツサーバから出力される素材データと前記クリップ情報と共に記憶することを特徴とする。
【０００８】
また、本発明のアーカイブシステムは、上述のアーカイブシステムであって、アーカイブ装置はクリップ情報と前記素材から一本化データを生成することを特徴とする。
【０００９】
また、本発明のアーカイブシステムは、上述のアーカイブシステムであって、さらに記憶媒体装置を有し、アーカイブ装置はクリップ情報と素材からステカット付クリップデータを前記記憶媒体装置に記憶させることを特徴とする。
【発明の効果】
【００１０】
本発明によれば、素材の保存したい部分のみをクリップ情報と共にアーカイブすることができる。
【図面の簡単な説明】
【００１１】
【図１】本発明の一実施例に係るアーカイブシステムの概要を示す図である。
【図２】本発明の一実施例に係るアーカイブシステムの動作を説明するためのシーケンス図１である。
【図３】本発明の一実施例に係るアーカイブシステムの動作を説明するためのシーケンス図２である。
【図４】本発明の一実施例に係るアーカイブシステムの動作を説明するためのシーケンス図３である。
【図５】本発明の一実施例に係るアーカイブシステムの動作を説明するためのシーケンス図４である。
【図６】本発明の一実施例に係るアーカイブシステムの動作を説明するためのシーケンス図５である。
【発明を実施するための形態】
【００１２】
以下、本発明の実施形態について図面を参照して詳細に説明する。
図１は本発明の一実施例に係るアーカイブシステムの概要を示す図である。
図１において、アーカイブシステム１００は、少なくともコンテンツサーバ１０、転送制御装置３０、カット編集装置４０、アーカイブ装置６１で構成されている。
また、アーカイブシステム１００は、送出サーバ２０、送出制御装置５０、媒体記録装置６２を有していてもよい。
さらに、アーカイブ装置６１と媒体記憶装置６２を一つのシステムとしたものは記憶システム６０とする。
なお、媒体記憶装置６２は、例えば、ＬＴＯ（登録商標）（Linear  Tape-Open）カートリッジであってもよい。
【００１３】
図１の素材データは、例えば、スポーツの映像であり、コンテンツサーバ１０に記憶される。記憶方法は、ライブ回線からベースバンド収録でもよいし、ＶＴＲテープや半導体メディアなどからでも構わない。
【００１４】
次に、コンテンツサーバ１０が素材データの全尺を記憶する動作について、図１と図２を用いて説明する。
図２は本発明の一実施例に係るアーカイブシステムの動作を説明するためのシーケンス図１である。
転送制御装置３０は、入力された全尺記憶指示（２０１）に基づき、コンテンツサーバ１０に素材データの全尺記憶指示（２０２）を出す。
コンテンツサーバ１０は、素材データの全尺を記憶する（２０３）。
なお、コンテンツサーバ１０に記憶する素材データにはスポーツ開催時の実時刻タイムコード等を重畳しておく。
このとき、コンテンツサーバ１０には、放送に不要な箇所（例えば、野球の攻守交替時間や、サッカーのハーフタイム、試合前後の余分映像など）も含まれたままである。これを全尺とする。放送までに十分な時間があり、編集機等を使用して予め放送に必要な部分のみに編集可能な場合は、本発明の一実施例に係るアーカイブシステムには適さない。
【００１５】
次に、放送までに編集時間がない場合は、図２の様に全尺をコンテンツサーバ１０に記憶、編集することなくそのまま全尺を送出サーバ２０へ転送し、放送する箇所のみをＣｌｉｐ送出する動作について、図１と図３を用いて説明する。
図３は本発明の一実施例に係るアーカイブシステムの動作を説明するためのシーケンス図２である。
転送制御装置３０は、入力された全尺記憶指示（３０１）に基づき、コンテンツサーバ１０に素材データの全尺記憶指示（３０２）を出す。
コンテンツサーバ１０は、素材データの全尺とオリジナルタイムコードを記憶する（３０３）と共に送出サーバ２０へ素材データの全尺を転送する（３０４）。
送出サーバ２０は素材データの全尺を記憶する（３０５）
【００１６】
カット編集装置４０は、操作者によりコンテンツサーバ１０の映像を図示していない表示装置で再生確認しながら入力された放送するＣｌｉｐ位置をマークイン、マークアウトの位置入力情報（３０６）に元づき、Ｃｌｉｐ送出用のＥＤＬ（Edit  Decision  List）データを作成する（３０７）。
カット編集装置４０は作成したＥＤＬデータを送出制御装置５０に送出する（３０８）。
送出制御装置５０はＥＤＬデータを記憶する（３０９）。
送出制御装置５０は送出指示が入力され（３１０）、ＥＤＬデータによる送出指示（３１１）を送出サーバ２０に出す（３１１）ことにより、送出サーバ２０から素材データの必要な部分のみをＣｌｉｐしたクリップデータを送出する（３１２）ことができる。
【００１７】
次に、送出した部分を中心に、保存したい部分を自動的に切り出し繋ぎ合わせて一本化し、これをアーカイブする方法について図１と図４を用いて説明する。
図４は本発明の一実施例に係るアーカイブシステムの動作を説明するためのシーケンス図３である。
転送制御装置３０は、素材データをアーカイブするために全尺転送指示が入力されると（４０１）、コンテンツサーバ１０に対して全尺転送の指示を出す（４０２）。
コンテンツサーバ１０は、アーカイブ装置６１に対して素材データの全尺を転送する（４０３）。
アーカイブ装置６１は、素材データの全尺とオリジナルコードを記憶する（４０４）。
【００１８】
カット編集装置４０は、図３の（３０７）で作成したＥＤＬデータを転送制御装置３０にも送出する（４０５）。
転送制御装置３０は、ＥＤＬデータをアーカイブ装置６１に転送する（４０６）。
アーカイブ装置６１は、転送されたＥＤＬデータを記憶する（４０７）。
転送制御装置３０は、ＥＤＬデータを使用して全尺素材から送出した部分を知ることができる。
【００１９】
カット編集装置４０は、操作者が上述の送出用クリップ作業に加えて、さらに再放送やコンテンツ販売にも備えて入力したＣｌｉｐ位置であるマークイン、マークアウトの位置入力情報（４０８）からＥＤＬ１データを作成し（４０９）、転送制御装置３０に送出する（４１０）。
転送制御装置３０は、ＥＤＬ１データをアーカイブ装置６１に転送する（４１１）。
アーカイブ装置６１は、転送されたＥＤＬ１データを記憶する（４１２）。
転送制御装置３０は、アーカイブ装置６１にＥＤＬデータおよびＥＤＬ１データを記憶しておくことで、アーカイブ保存に必要な箇所をＥＤＬ上から一括で情報入手、管理できる。
【００２０】
本発明の一実施例であるアーカイブシステムは、アーカイブ運用において、ほぼ最短作業で保存箇所を切り出し作業が可能となる。Ｃｌｉｐ送出した箇所か保存用にＣｌｉｐした箇所かは、データベース管理上若しくは、アーカイブ時のインデックス情報として管理することで区別可能である。
【００２１】
次に、ＥＤＬデータを元にクリップしたデータの一本化について図１と図５を用いて説明する。
図５は本発明の一実施例に係るアーカイブシステムの動作を説明するためのシーケンス図４である。
コンテンツサーバ１０の全尺には記憶時のオリジナルタイムコードが付加されている。
転送制御装置３０は、ＥＤＬデータを元にした抽出指示が入力されると（５０１）、コンテンツサーバ１０にＥＤＬデータ上のタイムコードを元に、該当箇所の映像音声データの抽出指示を出す（５０２）する。このとき、ＥＤＬデータ上のマークイン/マークアウトに対して前後数秒程度のステカットを付加して抽出する指示も出す。
コンテンツサーバ１０は、ステカット付きＣｌｉｐデータを抽出し（５０３）、転送制御装置３０に送出する（５０４）。
【００２２】
転送制御装置３０は、抽出したステカット付きのＣｌｉｐを１つの映像・音声ファイルに繋ぎ合わせ一本化する（５０５）。映像のコーデックおよび音声ファイル形式は問わない。ＥＤＬ２データは、新たに一本化後を規準として新たに自動作成し（５０６）、システムとして管理保存しておくことで、リトリーブ後にＣｌｉｐ位置を特定可能となる。
転送制御装置３０は、アーカイブ装置６１に一本化したデータとＥＤＬ２データのアーカイブ指示を出す（５０７）。
アーカイブ装置６１は、一本化したデータとＥＤＬ２データを記憶する（５０８）。
アーカイブ装置６１は、媒体記憶装置６２に一本化したデータとＥＤＬ２データのアーカイブ指示を出す（５０９）。
媒体記憶装置６２は、一本化したデータとＥＤＬ２データを記憶する（５１０）。
【００２３】
また、アーカイブ装置６１は、アーカイブ時にＸＭＦのエレメント内にオリジナルのタイムコードをそのまま格納することで、リトリーブ後の再生時にオリジナルのタイムコードを重畳させることが可能となる。また、一本化時に同時にプロキシを生成しておくことで、一本化後の簡易的な試写再生による素材確認可能となり、更にリトリーブ前の試写再生の活用ができる。
【００２４】
次に、アーカイブ装置からのリトリーブと素材の再利用について図１と図６を用いて説明する。
図６は本発明の一実施例に係るアーカイブシステムの動作を説明するためのシーケンス図５である。
アーカイブ装置６１は、図５の（５０８）で記憶した一本化データをコンテンツサーバ１０へそのまま全てリトリーブする指示を出す（６０１）。
コンテンツサーバ１０は、Ｃｌｉｐ部分のみが前後ステカット付きでリトリーブする（６０２）。
【００２５】
転送制御装置３０がＣｌｉｐデータを一本化したことで、無駄な映像部分かなくコンテンツサーバ１０への転送及び送出サーバ２０へのコピーについても、転送効率、容量効率ともに向上する。
【００２６】
また、転送制御装置３０は、図５の（５０６）で一本化時に作成した一本化ＥＤＬ２データを送出制御装置５０へ送出する（６０３）。
送出制御装置５０は、送出指示が入力されると（６０４）、送出サーバ２０に送出指示を出す（６０５）。
送出サーバ２０は一本化したＣｌｉｐデータを送出する（６０６）。
【００２７】
すなわち、転送制御装置３０が一本化したＥＤＬ２データで送出サーバ２０を再生制御することで、図３と同一のＣｌｉｐ再送出が運用者の手間無く再現可能となる。さらに、リトリーブした素材をカット編集装置にて再びクリップ作業することで、新たなクリップとして送出することも可能となる。勿論、素材再利用時にアーカイブした素材のごく一部分を使用したい場合は、部分リトリーブをすればよい。
【００２８】
本発明の実施形態であるアーカイブシステムは、素材の保存したい部分のみをクリップ情報と共にアーカイブすることができる。
【００２９】
以上本発明について詳細に説明したが、本発明は、ここに記載されたアーカイブシステムに限定されるものではなく、上記以外のアーカイブシステムに広く適用することができることは言うまでもない。
【産業上の利用可能性】
【００３０】
アーカイブ装置に素材の保存したい部分のみをクリップ情報と共にアーカイブすることによって、容量の少ない媒体に記憶する用途にも適用できる。
【符号の説明】
【００３１】
１００：アーカイブシステム、１０：コンテンツサーバ、２０：送出サーバ、３０：転送制御装置、４０：カット編集装置、５０：送出制御装置、６０：記憶システム、６１：アーカイブ装置、６２：媒体記憶装置。
【図１】
2016213738.tif 000003
【図２】
2016213738.tif 000004
【図３】
2016213738.tif 000005
【図４】
2016213738.tif 000006
【図５】
2016213738.tif 000007
【図６】
2016213738.tif 000008